(57)【要約】【課題】前記ディスクトレイが外部に突出したときの傾きを抑え、前記ディスクトレイの移動時の急激な姿勢変化を抑えることができる光ディスク装置を提供する。【解決手段】ディスクトレイ２と、正面壁部１３にディスクトレイ２が出入りする開口１３０を具備するメインシャーシ１と、ディスクトレイ２のガイドレール２２の下面を支持する複数個の受け部１５１、１５１ｆと、ガイドレール２２の浮き上がりを押える複数個の押え部１６（１７）とを有し、複数個の受け部１５１、１５１ｆはディスクトレイ２がメインシャーシ１に収納されているとき、収納手前側が上方に傾くように配列されている。【選択図】図４
2010262718.tif 000002
【特許請求の範囲】
【請求項１】
光ディスクメディアを載置するディスクトレイと、
上部が開いた函形状を有し、正面の壁部に前記ディスクトレイが出入りする開口を具備するメインシャーシと、
前記メインシャーシに形成され、前記ディスクトレイの側部に形成されたガイドレールの下面を支持する複数個の受け部と、
前記メインシャーシに形成され、前記ガイドレールの浮き上がりを押える複数個の押え部とを有する光ディスク装置であって、
前記複数個の受け部は前記ディスクトレイが前記メインシャーシに収納されているとき、収納手前側が上方に傾くように配列されていることを特徴とする光ディスク装置。
【請求項２】
前記押え部のひとつは他の押え部よりも摺動方向に長く形成された長押え部であり、
前記長押え部の下面は手前側に形成され下方に向かって傾斜する傾斜部と、前記傾斜部の奥側と連結し、前記受け部の上部を結んだ面と平行となるように形成された平行部とを備えている請求項１に記載の光ディスク装置。
【請求項３】
前記長押え部は、光ディスクメディアを載置していない前記ディスクトレイの重心の摺動方向に対する位置と、最も開口側の受け部とが重なったとき、前記平行部が前記ガイドレールの奥側の端部と対向するように形成されている請求項２に記載の光ディスク装置。
【請求項４】
前記長押え部は、載置可能な最大径の光ディスクメディアを載置した前記ディスクトレイの重心の摺動方向に対する位置と、最も開口側の受け部とが重なったとき、前記平行部が前記ガイドレールの奥側の端部と対向するように形成されている請求項３に記載の光ディスク装置。
【請求項５】
前記傾斜部と前記平行部との境界部分は曲面形状で形成されている請求項２から請求項４のいずれかに記載の光ディスク装置。
【請求項６】
前記メインシャーシは底面部の前記ディスクトレイの摺動方向に対して両側部に段差部が形成されており、
前記受け部は前記段差部の上面より突出した凸形状である請求項１から請求項５のいずれかに記載の光ディスク装置。
【請求項７】
前記メインシャーシは底面部の前記ディスクトレイの摺動方向に対して両側部に側壁部を備えており、
前記押え部は前記側壁部より前記メインシャーシの内部に突出して形成されている請求項１から請求項６のいずれかに記載の光ディスク装置。
【発明の詳細な説明】
【技術分野】
【０００１】
本発明は、記録媒体である光ディスクメディアを搬入／搬出するためのディスクトレイを備えた光ディスク装置に関するものである。
【背景技術】
【０００２】
近年、光ディスクメディアの記録面に光を照射し、情報の記録又は情報の再生を行う光ディスク装置が広く用いられている。光ディスク装置は、筐体として利用されるシャーシと、前記シャーシに形成されている開口から入出自在となるように前記シャーシに配置されたディスクトレイとを備えている。
【０００３】
前記ディスクトレイが前記シャーシの外部に突出しているとき、出ている前記光ディスクメディアを載置し、前記ディスクトレイを前記シャーシの内部に移動させることで、前記光ディスクメディアが記録／再生位置に搬入される。また、記録／再生が終了した時点で前記光ディスクメディアを前記ディスクトレイ上に載置し、前記ディスクトレイを外部に移動させることで、光ディスクメディアが外部の着脱位置に搬出される。
【０００４】
前記ディスクトレイは両側部に摺動方向に延びるレールを備えている。そして、前記シャーシは、前記レールの下面を支持する受け部と、前記レールの上面を押える押え部とを備えている。前記ディスクトレイは前記レールが前記受け部に支持されて摺動する。そして、前記押え部が前記レールの上面を押えることで前記ディスクトレイが浮き上がるのを抑制している。
【０００５】
前記ディスクトレイを円滑に摺動させるため、前記押え部と前記レールの上面との間には隙間が形成されている。前記ディスクトレイが前記開口から突出されているとき、前記ディスクトレイの重心は前記開口の外部に移動しており、前記ディスクトレイには自重によって前記開口より突出している先端側に、該先端側が下方に傾く方向の力が作用する。前記押え部と前記レールとの間に隙間が形成されていることで、外部に突出した前記ディスクトレイの先端は前記レールの上面が前記押え部と当接するまで下方に傾く。
【０００６】
前記ディスクトレイが前記シャーシに引き込まれるとき、前記ディスクトレイの重心が前記開口を通過するとき、傾いていた前記ディスクトレイが急激に元の角度に戻ることが確認されている。このような、前記ディスクトレイの急激な姿勢の変化は光ディスク装置の品位を著しく低下させる原因となっていた。
【０００７】
そこで、特開２００７−２００５０７号公報に記載されているディスク装置は、トレイに形成されている案内レールの上面と当接するガイドリブと傾動緩和リブとを備えることで、急激な姿勢の変化を抑制している。このガイドリブ及び傾動緩和リブは、下面がトレイの挿入方向に向かって次第に低くなる傾斜面で形成されている。前記トレイが外部から内部に移動するとき、案内レールの後端部が傾斜面によって円滑に案内され、前記トレイの急激な姿勢の変化を抑制している。
【先行技術文献】
【特許文献】
【０００８】
【特許文献１】特開２００７−２００５０７号公報
【発明の概要】
【発明が解決しようとする課題】
【０００９】
しかしながら、特開２００７−２００５０７号公報に記載のディスク装置では、前記ディスクトレイが移動するときの急激な傾動を抑制することはできるが、前記ディスクトレイが外部に突出しているときの該ディスクトレイ先端部の下方への傾きを緩和することは困難である。
【００１０】
また、前記光ディスクメディアが載置されていない場合、１２ｃｍの光ディスクメディアが載置されている場合、８ｃｍの光ディスクメディアが載置されている場合、それぞれ、前記ディスクトレイの重心は異なる。前記ディスクトレイの重心が異なると、前記ディスクトレイが急激に傾動する位置が異なる。特開２００７−２００５０７号公報に記載されている傾動緩和リブでは、異なる大きさのディスクが載置されたとき、或いは、光ディスクメディアが載置されていないときで前記ディスクトレイの急激な傾動を抑制するのが困難な場合がある。
【００１１】
そこで本発明は、ディスクトレイを用いて光ディスクメディアを搬入／搬出する光ディスク装置であって、前記ディスクトレイが外部に突出したときの傾きを抑え、前記ディスクトレイの移動時の急激な姿勢変化を抑えることができる光ディスク装置を提供することを目的とする。
【課題を解決するための手段】
【００１２】
上記目的を達成するために本発明は、光ディスクメディアを載置するディスクトレイと、上部が開いた函形状を有し、正面壁部に前記ディスクトレイが出入りする開口を具備するメインシャーシと、前記メインシャーシに形成され、前記ディスクトレイの側部に形成されたガイドレールの下面を支持する複数個の受け部と、前記メインシャーシに形成され、前記ガイドレールの浮き上がりを押える複数個の押え部とを有する光ディスク装置であって、前記複数個の受け部は前記ディスクトレイが前記メインシャーシに収納されているとき、収納手前側が上方に傾くように配列されていることを特徴とする。
【００１３】
この構成によると、前記ディスクトレイの突出している部分に自重による力が作用した場合、前記正面側の受け部が高くなるように受け部が形成されているので、前記ディスクトレイの正面側の下方に傾斜する傾斜量を低減することができる。
【００１４】
前記ディスクトレイが前記メインシャーシに対して出入りするときに、前記ディスクトレイの傾きが大きく変化するのを抑制することが可能である。これにより、自重による姿勢の急激な変化を小さくすることができ、前記ディスクトレイの移動を円滑にすることができる。
【００１５】
上記構成において、前記押え部のひとつは他の押え部よりも摺動方向に長く形成された長押え部であり、前記長押え部の下面は手前側に形成され下方に向かって傾斜する傾斜部と、前記傾斜部の奥側と連結し、前記受け部の上部を結んだ面と平行となるように形成された平行部とを備えていてもよい。
【００１６】
前記ガイドレールの奥側の端部が前記傾斜部に、前記受け部の上に載るように誘導され、前記ガイドレールに作用している自重による力の向きが変化するときには、前記平行部と接触させることができるので、急激な姿勢の変化を抑えることができる。これにより、自重による姿勢の急激な変化を小さくすることができ、前記ディスクトレイの移動を円滑にすることができる。
【００１７】
上記構成において、前記長押え部は、光ディスクメディアを載置していない前記ディスクトレイの重心の摺動方向に対する位置と、最も開口側の受け部とが重なったとき、前記平行部が前記ガイドレールの奥側の端部と対向するように形成されていてもよい。
【００１８】
この構成によると、前記ディスクトレイが移動するとき、前記ディスクトレイに載置されているか否か、及び、載置されている光ディスクメディアの大きさにかかわらず、前記ガイドレールの奥側の端部が前記傾斜部に誘導される。これにより、光ディスクメディアの大きさにかかわらず、急激な姿勢の変化を抑制することが可能である。これにより、自重による姿勢の急激な変化を小さくすることができ、前記ディスクトレイの移動を円滑にすることができる。
【００１９】
上記構成において、前記長押え部は、載置可能な最大径の光ディスクメディアを載置した前記ディスクトレイの重心の摺動方向に対する位置と、最も開口側の受け部とが重なったとき、前記平行部が前記ガイドレールの奥側の端部と対向するように形成されていてもよい。なお、前記傾斜部と前記平行部との境界部分は曲面形状で形成されていてもよい。
【００２０】
この構成によると、前記ディスクトレイは光ディスクメディアが載置されているか否か、及び、載置されている光ディスクの大きさにかかわらず、その重心が最も開口側の受け部と重なったときに前記ガイドレールの奥側が前記平行部と接触する。これにより、自重による姿勢の急激な変化を小さくすることができ、前記ディスクトレイの移動を円滑にすることができる。
【００２１】
上記構成において、前記メインシャーシは底面部の前記ディスクトレイの摺動方向に対して両側部に段差部が形成されており、前記受け部は前記段差部の上面より突出した凸形状であってもよい。
【００２２】
上記構成において、前記メインシャーシは底面部の前記ディスクトレイの摺動方向に対して両側部に側壁部を備えており、前記押え部は前記側壁部より前記メインシャーシの内部に突出して形成されていてもよい。
【発明の効果】
【００２３】
本発明によると、ディスクトレイを用いて光ディスクメディアを搬入／搬出する光ディスク装置であって、前記ディスクトレイが外部に突出したときの傾きを抑え、前記ディスクトレイの移動時の急激な姿勢変化を抑えることができる光ディスク装置を提供することができる。
【図面の簡単な説明】
【００２４】
【図１】本発明にかかる光ディスク装置のディスクトレイが突出された状態の平面図である。
【図２】図１に示す光ディスクのディスクトレイが内部に移動したときの平面図である。
【図３】インシャーシの平面図である。
【図４】ディスクトレイが最も外部に突出した状態のディスクトレイのメインシャーシに対する位置を示す図である。
【図５】ディスクトレイの正面側の端部が開口から突出した状態のディスクトレイのメインシャーシに対する位置を示す図である。
【図６】ディスクトレイがメインシャーシ内部に配置されている状態のディスクトレイのメインシャーシに対する位置を示す図である。
【図７】トラバースシャーシが昇降するときの光ディスクメディアとターンテーブルの相対位置を示す図である。
【図８】本発明にかかる光ディスク装置の長押え部を拡大した図である。
【図９】本発明にかかる光ディスク装置を用いたＤＶＤレコーダの斜視図である。
【発明を実施するための形態】
【００２５】
以下に本発明の実施形態を図面を参照して説明する。図１は本発明にかかる光ディスク装置のディスクトレイが突出された状態の平面図であり、図２は図１に示す光ディスクのディスクトレイが内部に移動したときの平面図であり、図３はメインシャーシの平面図であり、図４はディスクトレイが最も外部に突出した状態のディスクトレイのメインシャーシに対する位置を示す図であり、図５はディスクトレイの正面側の端部が開口から突出した状態のディスクトレイのメインシャーシに対する位置を示す図であり、図６はディスクトレイがメインシャーシ内部に配置されている状態のディスクトレイのメインシャーシに対する位置を示す図である。なお、図４〜図６に示す図では、ディスクトレイに光ディスクメディアが載置されていない状態のものである。
【００２６】
図１、図２に示すように、光ディスク装置はメインシャーシ１と、メインシャーシ１に摺動可能に取り付けられ光ディスクを搬送するディスクトレイ２と、メインシャーシ１に旋回可能に支持され、旋回することで搬入されたディスクトレイ２に対して接近離反（昇降）するトラバースシャーシ３と、トラバースシャーシ３に取り付けられ光ディスクを保持するとともに回転駆動するディスク駆動部４と、トラバースシャーシ３に取り付けられ光ディスクに記録／再生用のレーザ光を照射する光ピックアップ５とを備えている。
【００２７】
なお、以下の説明において、ディスクトレイ２が突出する方向を正面側（図中Ｆで示す）、ディスクトレイ２が進入する方向を背面側（図中Ｂで示す）として説明する（図１参照）。
【００２８】
メインシャーシ１は、長方形状の底面部１１と、底面部１１の両側端部に立設された側壁部１２と、底面部１１の正面側端部に立設された正面壁部１３と、背面側端部に立設された背面壁部１４とを備えた有底函体である。メインシャーシ１において、底面部１、側壁部１２、正面壁部１３及び背面壁部１４は樹脂の一体成型体である。また、図示を省略しているが、メインシャーシ１の上部にはカバーシャーシが取り付けられるようになっており、カバーシャーシが取り付けられることで、メインシャーシは密閉される。
【００２９】
メインシャーシ１の底面部１１の両側部には段差部１５が形成されている。段差部１５は底部１１の長手方向全長にわたって形成されており、底面部１１及び側壁部１２と一体的に形成されている。段差部１５には、上面より突出した複数個の受け部１５１が形成されている。受け部１５１は、摺動するディスクトレイ２を支持している。正面壁部１３には、開口１３０が形成されており、ディスクトレイ２は開口１３０よりメインシャーシ１の外部に突出し、光ディスクメディアを着脱する着脱位置（図１に示す、ディスクトレイ２が最も外部に突出した位置）に移動する。受け部１５１は正面側が最も高く、背面側に行くにしたがって低く形成されており、上部を順に結ぶと一本の直線Ｌ１となる（図４、図５参照）。この直線Ｌ１はディスクトレイ２が所定の範囲で摺動するとき、後述のガイドレール２２の下面が描く軌跡である。
【００３０】
ディスクトレイ２は樹脂の一体成型体であり、図面に示すように、光ディスクメディアを載置するための略円形のディスク載置凹部を備えている。ディスク載置凹部は内側に形成され、８ｃｍの光ディスクメディアを載置するための小径部２０Ｓ、外側に形成され、１２ｃｍの光ディスクメディアを載置するための大径部２０Ｌを有している。小径部２０Ｓは大径部２０Ｌに比べて深い。また、ディスクトレイ２の中央部には貫通孔２１が形成されている。トラバースシャーシ３が旋回しディスクトレイ２に接近したとき、ディスク駆動部４や光ピックアップ５が貫通孔２１の内部に移動するので、ディスクトレイ２とディスク駆動部４及び光ピックアップ５との接触は回避される。
【００３１】
さらに、ディスクトレイ２は、両側面部に側方に向かって突出されたガイドレール２２を備えている。ガイドレール２２はディスクトレイ２の側面部の長手方向に沿って、正面側端部から背面側端部に連続して形成されている。
【００３２】
図３に示すように、メインシャーシ１の側壁部１２には、内面側に突出形成された複数個の短い短押え部１６と、短押え部１６よりも長い長押え部１７とが形成されている。長押え部１７は左右の側壁部１２にそれぞれ１個ずつ形成されている。短押え部１６は正面側の端部近傍に距離を開けて２個、背面側の端部に１個形成されている。長押え部１７は正面側の短押え部１６ｆと背面側の短押え部１６ｂの間に配置されている。短押え部１６及び長押え部１７はガイドレール２２が受け部１５１の上部に配置されたときに、ガイドレール２２の上部に配置されるものである。
【００３３】
図４等に示すように、長押え部１７は正面側に形成され背面側に向かって下方に傾斜した傾斜部１７１と、傾斜部１７１の背面側に形成され直線Ｌ１と略平行に形成された平行部１７２とを備えている。長押え部１７の形状の詳細については後述する。
【００３４】
トラバースシャーシ３は樹脂の一体成型体である。図１に示すように、トラバースシャーシ３は背面側にボス孔３０を備えており、メインシャーシ１の背面側に形成され、ボス孔３０の内径よりも小さな外形を有するボス１０が貫通している。そして、ボス孔３０とボス１０との間にはフローティングゴム（ダンパー）１００が配置されている。ボス１０とボス孔３０との間に隙間が形成されていることで、トラバースシャーシ３はディスクトレイ２に対して旋回（昇降）するようにメインシャーシ１に支持される。なお、トラバースシャーシ３は、図示を省略したカムスライダーの動きによって旋回する。
【００３５】
トラバースシャーシ３に配置されたディスク駆動部４は、動力源であるモータ４１と、モータ４１の出力軸に固定され、光ディスクメディアの記録面の中央を支持するターンテーブル４２とを備えている。そして、光ピックアップ５は光ディスクメディアに光を照射するための光学系（レンズ、光源等を含む）と駆動部を備えており、トラバースシャーシ３に形成された開口窓３１に、光ディスクメディアの径方向に移動できるように配置されている。
【００３６】
ディスクトレイ２がメインシャーシ１の内部に配置されているとき、ディスクトレイ２のガイドレール２２の下面は受け部１５１に支持されている。図６に示すように、ディスクトレイ２はメインシャーシ１の最奥部（以下、記録／再生位置という）にあるとき、ガイドレール２２の下面と直線Ｌ１とが重なり、正面側が背面側に比べて高くなっている。このとき、ガイドレール２２の上面と正面側の短押え部１６ｆ及び長押え部１７との間には隙間が形成されている。背面側の短押え部１６ｂはガイドレール２２の上面と接触している。
【００３７】
ディスクトレイ２が記録／再生位置にあるとき、背面側の短押え部１６ｂがガイドレール２２の上面を押えている。これにより、ディスクトレイ２が上方に浮き上がるのを抑制している。ディスクトレイ２が記録／再生位置にあるとき、トラバースシャーシ３はディスクトレイ２側に旋回（上昇）しており、ディスクトレイ２の貫通孔２１よりターンテーブル４２が突出する。このとき、ディスク載置凹部に配置されていた光ディスクメディアを持ち上げ、カバーシャーシに配置されているクランパ（不図示）とで光ディスクメディアを挟持する。
【００３８】
また、メインシャーシ１の内部には、ディスクトレイ２、トラバースシャーシ３及び光ピックアップ５を駆動するための駆動機構（不図示）が備えられている。ディスクトレイ２、トラバースシャーシ３及び光ピックアップ５が共通の駆動機構で駆動されていてもよく、２個以上の異なる駆動機構を備えていてもよい。
【００３９】
ディスクトレイ２及びトラバースシャーシ３の移動について、図面を参照して詳細に説明する。図４に示すように、ディスクトレイ２が開口１３０より最も突出している（以下、ディスク交換位置という）場合、ディスクトレイ２の重心ｇｐは開口１３０より外側に突出している。このとき、ディスクトレイ２には、最も正面側の受け部１５１ｆを支点として正面側の端部が下方に傾く方向（すなわち、背面側の端部が上方に傾く方向）に自重による力が作用している。
【００４０】
図４に示すように、正面側の短押え部１６ｆがガイドレール２２の背面側端部の上面と当接し、ディスクトレイ２の自重による力を支えている。ディスクトレイ２は最も正面側の受け部１５１ｆを支点として支持されており、最も正面側の受け部１５１ｆの高さを調整することで、ディスク交換位置にあるときの、ディスクトレイ２の傾きを調整することができる。本発明の光ディスク装置では、ディスクトレイ２は略水平（直線Ｌ１に対して傾いた位置）である。
【００４１】
開口１３０から外部に突出しているディスクトレイ２は駆動機構によって、メインシャーシ１の内部に移動する。このとき、トラバースシャーシ３は下方に旋回（下降）しており、ディスクトレイ２が移動するときに、ディスク駆動部４や光ピックアップ５と干渉するのを防止している。
【００４２】
ディスクトレイ２の傾きは自重によるものであり、重心ｇｐの位置によってその作用する方向は変化する。すなわち、重心ｇｐが最も正面側の受け部１５１ｆよりも外側にあるとき、ディスクトレイ２には正面側を下げる力が作用する。重心ｇｐが最も正面側の受け部１５１ｆよりも内側にあるとき、ディスクトレイ２には逆の力（背面側を下げる力）が作用する。ディスクトレイ２に作用する力は、重心ｇｐが最も正面側の受け部１５１ｆと重なる位置のときに釣り合い、その点を通過したときに方向が変わる。ディスクトレイ２の姿勢（傾き）は、その重心ｇｐが最も正面側の受け部１５１ｆを通過した瞬間に急激に変化する。その姿勢の急激な変化を抑制するために、側壁部１２に長押え部１７が形成されている。
【００４３】
図５に示すように、ディスクトレイ２が所定の位置まで移動したとき、ガイドレール２２の背面側端部の上部が長押え部１７の傾斜部１７１と接触する。なお、図５において、ディスクトレイ２はその重心ｇｐが最も正面側の押え部１５１よりも外側に位置している。このとき、ディスクトレイ２にはガイドレール２２の背面側端部の上部を持ち上げる力が作用している。ディスクトレイ２はガイドレール２２の背面側端部が、傾斜部１７１に押し当てられた状態で背面側に移動する。このとき、ガイドレール２２の背面側端部が傾斜部１７１に誘導され、ディスクトレイ２は直線Ｌ１に対する角度を小さくしつつ摺動される。
【００４４】
そして、ディスクトレイ２の重心ｇｐが最も正面側の受け部１５１ｆに到達する前に、ガイドレール２２の背面側端部の上部が平行部１７２に押し当てられる。このとき、ガイドレール２２の下面と直線Ｌ１との隙間は小さくなっている。ディスクトレイ２がさらに移動し、重心ｇｐが最も正面側の受け部１５１ｆよりも内側に移動したとき、自重による力の作用方向が入れ替わり、ディスクトレイ２には背面側を押し下げる力が作用する。そして、ディスクトレイ２はガイドレール２２の下面が直線Ｌ１と重なるように傾動する。これにより、ディスクトレイ２はガイドレール２２の下面が直線Ｌ１に接近した状態で、傾きが変化するので、急激な姿勢変化を起こしにくい。
【００４５】
そして、ディスクトレイ２がさらに内部に移動したときに、トラバースシャーシ３が上昇をはじめる。トラバースシャーシ３が上昇を開始するときの、ディスクトレイ２の位置は、ディスク駆動部４及び光ピックアップ５がディスクトレイ２の移動の邪魔にならないタイミングである。ディスクトレイ２が記録／再生位置に完全移動したとき、ディスクトレイ２に載置されている光ディスクメディアがターンテーブル４２に持ち上げられる。
【００４６】
また、反対にディスクトレイ２がメインシャーシ１内部の記録／再生位置から外部のディスク交換位置に移動するときも同様に、急激な姿勢の変化が抑制される。すなわち、ディスクトレイ２の重心ｇｐが最も正面側の受け部１５１ｆよりも外部に到達しても、ガイドレール２２の背面側端部の上部が長押え部１７の平行部１７２に押えられている。これによりディスクトレイ２の正面側が急激に下方に傾くのが抑制される。ディスクトレイ２がさらに外部に移動しても、ガイドレール２２の背面側端部の上部が傾斜部１７１と接触しながら移動するので、ディスクトレイ２の傾きは徐々に変化する。
【００４７】
図７はトラバースシャーシが昇降するときの光ディスクメディアとターンテーブルの相対位置を示す図である。トラバースシャーシ３が下降するとき、ターンテーブル４２に保持された光ディスクメディアＤｓは、ディスク載置凹部と面全体で接触せず端部から接触するので接触時に発生する音を小さく抑えることができる。
【００４８】
また、ターンテーブル４２とクランパとはそれぞれ磁石とヨークとを備え、磁石とヨークとの間に発生する磁力で光ディスクメディアを挟持するものである。光ディスクメディアがディスク載置凹部に斜めに接触するので、光ディスクメディアが旋回しつつディスク載置凹部に配置されるときに、磁石とヨークとを小さな力で引き剥がすことが可能である。磁力の反動によって光ディスクメディアＤｓが段差部に勢い良く接触するのを抑制し、そのときの音の発生を抑制することが可能である。
【００４９】
長押え部の詳細について図面を参照して説明する。図８は本発明にかかる光ディスク装置の長押え部を拡大した図である。なお、説明の便宜上、長押え部１７及びガイドレール２２の傾き角は実際の光ディスク装置の傾き角よりも大きく示している。
【００５０】
まず、長押え部１７の説明を行うために、ディスクトレイ２について説明する。ディスクトレイ２は上部に光ディスクメディアを載置するためのディスク載置凹部を備えている。ディスク載置凹部はディスクトレイ２の重心からずれた中心を備えた円形の凹部である。
【００５１】
ディスクトレイ２において、ディスク載置凹部に光ディスクメディアを配置していないとき（以下、空：no disc）、小径（一般的に８ｃｍ）の光ディスクメディアを載置したとき（以下、小ディスク：small disc）、及び、大径（一般的に１２ｃｍ）の光ディスクメディアを載置したとき（以下、大ディスク：large disc）、それぞれで、重心の位置がずれる。すなわち、光ディスクメディアの有無、大きさによって、ディスクトレイ２の正面側に下方に向けた力が作用し始めるときの、ディスクトレイ２の位置が異なる。そして、ガイドレール２２の背面側端部が長押え部１７と接触し始める位置が異なる。
【００５２】
ディスクトレイ２の重心は空のとき最も背面側であり、大ディスクのとき最も正面側の位置になる。図８に示すように、ディスクトレイ２が空のとき、ガイドレール２２の背面側端部の上面は平行部１７１の最も正面側の点Ｐ１で接触する（離れる）。そして、小ディスクのとき、大ディスクのときとディスクが大きくなるにしたがって、背面側の点Ｐ２、Ｐ３で接触する（離れる）。
【００５３】
このように、載置された光ディスクメディアの有無、大きさにかかわらず、ディスクトレイ２は姿勢変化の前又は後で平行部１７２に接触する。これにより、重心移動による急激な姿勢の変化を抑制することができる。ディスクトレイ２がディスク着脱位置とガイドレール２２の背面側端部が傾斜部と接触する位置との間にあるときは、最も正面側に配置された受け部１５１と正面側の短押え部１６ｆとで下面及び上面を押えているので、ディスクの有無或いは大きさにかかわらず同じ軌跡を通る。
【００５４】
すなわち長押え部１７は、ディスクトレイ２が空のとき、すなわち、重心が最も正面側の受け部１５１ｆより外部にあるとき、ガイドレール２２の背面側端部が傾斜部１７１と接触し、重心が最も正面側の受け部１５１ｆを通過するときにはガイドレール２２の背面側端部が平行部１７２に到達するような形状及び位置に形成されている。そして、ディスクトレイ２が大ディスクを載置し、重心が最も正面側の受け部１５１ｆと重なったとき、ガイドレール２２の背面側端部と接触するように平行部１７２が形成されている。このように、長押え部１７の形状及び位置が決められていることで、光ディスクメディアの有無或いは大きさにかかわらずディスクトレイ２は大きく急激な姿勢変化をすることなく、光ディスクメディアを搬送することが可能である。
【００５５】
上記構成において、受け部として段差部より突出するものとしているが、それに限定されるものではなく、側壁部より内側に突出する形状のものであってもよい。ディスクトレイのガイドレールの下面を安定して支持できるものを広く採用することができる。また、上記構成において、押え部が左右両方に形成されているが、どちらか一方のみであってもよい。また、片方は長押え部のみ備えているものや短押え部の数が少ない（多い）ものであってもよい。
【００５６】
図９は本発明にかかる光ディスク装置を用いたＤＶＤレコーダの斜視図である。図９に示すように、ＤＶＤレコーダＲｄは、筐体Ｏｈの内部に光ディスク装置Ａが配置されており、筐体Ｏｈの正面に配置されたフロントパネルＦｐに形成された開口Ｏｐより光ディスクＤｓをディスクトレイ２に載置して光ディスク装置Ａの内部に挿入するものである。
【産業上の利用可能性】
【００５７】
本発明は、記録媒体として光ディスクメディアを用いる電子機器（たとえば、ＤＶＤプレーヤ、ＤＶＤレコーダ等）に利用することができる。
【符号の説明】
【００５８】
Ａ  光ディスク装置
１  メインシャーシ
１０  ボス
１００  フローティングゴム
１１  底面部
１２  側壁部
１３  正面壁部
１３０  開口
１４  背面壁部
１５  段差部
１５１  受け部
１６  短押え部
１７  長押え部
１７１  傾斜部
１７２  平行部
２  ディスクトレイ
２０  段差部
２０Ｓ  小径部
２０Ｌ  大径部
２１  貫通孔
２２  ガイドレール
３  トラバースシャーシ
３０  ボス孔
４  ディスク駆動部
５  光ピックアップ
【図１】
2010262718.tif 000003
【図２】
2010262718.tif 000004
【図３】
2010262718.tif 000005
【図４】
2010262718.tif 000006
【図５】
2010262718.tif 000007
【図６】
2010262718.tif 000008
【図７】
2010262718.tif 000009
【図８】
2010262718.tif 000010
【図９】
2010262718.tif 000011